(57)【要約】      （修正有）【課題】指紋認証が必要な設定情報に基づいてユーザ毎にファクシミリ装置の設定を変更するにあたり、ファクシミリ装置の記憶容量を増大させず、高性能なＭＰＵを必要とせず、指紋情報に対する高いセキュリティを確保する。【解決手段】ファクシミリ装置１に着脱自在に接続可能なポータブル記憶装置２にユーザの指紋情報と設定情報とを対応付けて記憶し、外部から入力したユーザの指紋情報とポータブル記憶装置２に記憶されている指紋情報とが一致するか否かの判定をポータブル記憶装置２で行い、一致する場合に、一致する指紋情報と対応する設定情報をファクシミリ装置１に送信する。【選択図】図１
2007226625.tif 000002
【特許請求の範囲】
【請求項１】
所定の外部装置に着脱自在に装着される可搬型記憶装置であって、
生体情報と前記外部装置の設定情報とを対応付けて記憶する設定記憶手段と、
外部から生体情報を取得する第１取得手段と、
前記第１取得手段により取得された生体情報と前記設定記憶手段に記憶されている生体情報とが同一の個体を示すか否かを判定する判定手段と、
前記判定手段による判定の結果、前記第１取得手段により取得された生体情報と同一の個体を示す生体情報が前記設定記憶手段に記憶されている場合に、当該同一の個体を示す生体情報に対応する設定情報を前記設定記憶手段から読み出して、前記外部装置の設定を変更するべく前記外部装置へ送信する設定送信手段とを備えることを特徴とする可搬型記憶装置。
【請求項２】
前記判定手段による判定の結果を示す判定結果情報を前記外部装置へ送信する判定結果送信手段を備え、
前記設定送信手段は、前記判定結果送信手段により前記判定結果情報を前記外部装置へ送信した後、前記外部装置から送信指示を受信した場合に、前記対応する設定情報を送信することを特徴とする請求項２に記載の可搬型記憶装置。
【請求項３】
外部から生体情報を取得する第２取得手段と、
前記外部装置の設定情報の送信を要求する設定情報要求を前記外部装置へ送信する要求送信手段と、
前記要求送信手段により前記設定情報要求を前記外部装置へ送信した後、前記外部装置から設定情報を受信する設定受信手段とを備え、
前記設定記憶手段は、前記第２取得手段により取得された生体情報と前記設定受信手段により受信された設定情報とを対応付けて記憶することを特徴とする請求項１又は２に記載の可搬型記憶装置。
【請求項４】
外部から生体情報を取得する第３取得手段を備え、
前記設定記憶手段は、前記第２取得手段により取得された生体情報と前記第３取得手段により取得された生体情報とが同一の個体を示す場合に、当該同一の個体を示す生体情報と前記設定受信手段により受信された設定情報とを対応付けて記憶することを特徴とする請求項３に記載の可搬型記憶装置。
【請求項５】
前記生体情報は、指紋情報であることを特徴とする請求項１〜４のいずれかに記載の可搬型記憶装置。
【請求項６】
前記判定手段は、前記第１取得手段により取得された指紋情報と前記設定記憶手段に記憶されている指紋情報とが同一の指を示すか否かを判定し、
前記設定送信手段は、前記判定手段による判定の結果、前記第１取得手段により取得された指紋情報と同一の指を示す指紋情報が前記設定記憶手段に記憶されている場合に、当該同一の指を示す指紋情報に対応する設定情報を前記設定記憶手段から読み出して、前記外部装置の設定を変更するべく前記外部装置へ送信することを特徴とする請求項５に記載の可搬型記憶装置。
【請求項７】
記憶されている生体情報と外部から取得した生体情報とが同一の個体を示すか否かを判断し、同一の個体を示すと判断する場合に、当該同一の個体を示す生体情報に対応付けて記憶されている設定情報を送信する可搬型記憶装置を着脱自在に構成された電子機器装置であって、
前記可搬型記憶装置から送信された設定情報を受け付ける設定受付手段と、
前記設定受付手段により受け付けられた設定情報に基づいて自装置の設定を変更する設定変更手段とを備えることを特徴とする電子機器装置。
【請求項８】
記憶されている生体情報と外部から取得した生体情報とが同一の個体を示すか否かを判断し、当該判定の結果を示す判定結果情報を送信し、当該判定結果情報に応じて送信される送信指示に従って、当該同一の個体を示す生体情報に対応付けて記憶されている設定情報を送信する可搬型記憶装置を着脱自在に構成された電子機器装置であって、
前記判定結果情報を前記可搬型記憶装置から受信する判定結果受信手段と、
前記判定結果受信手段により受信された判定結果情報を表示する表示手段と、
前記表示手段による表示に応じて行われる入力を受け付ける入力受付手段と、
前記入力受付手段によって受け付けられた入力に応じて、前記同一の個体を示す生体情報に対応付けられた設定情報の送信を指示する送信指示を前記可搬型記憶装置に送信する指示送信手段と、
前記可搬型記憶装置から送信された設定情報を受け付ける設定受付手段と、
前記設定受付手段により受け付けられた設定情報に基づいて自装置の設定を変更する設定変更手段とを備えることを特徴とする電子機器装置。
【請求項９】
前記設定変更手段による変更前の自装置の設定に対応する設定情報を記憶する退避用記憶手段と、
前記退避用記憶手段に記憶されている設定情報に基づいて、自装置の設定を変更前の設定に戻す設定復帰手段とを備えることを特徴とする請求項７又は８に記載の電子機器装置。
【請求項１０】
前記可搬型記憶装置の自装置からの取り外しを検出する検出手段を備え、
前記設定復帰手段は、前記検出手段により前記可搬型記憶装置の自装置からの取り外しが検出された場合に、前記退避用記憶手段に記憶されている設定情報に基づいて、自装置の設定を変更前の設定に戻すことを特徴とする請求項９に記載の電子機器装置。
【請求項１１】
外部から自装置を設定する操作を受け付ける操作受付手段と、
設定情報の送信を要求する設定情報要求を前記可搬型記憶装置から受信する要求受信手段と、
前記要求受信手段により設定情報要求が受信された場合に、前記操作受付手段が受け付けた設定の操作に対応する設定情報を、前記可搬型記憶装置が外部から取得した生体情報と対応付けて記憶するべく前記可搬型記憶装置へ送信する記憶指示手段とを備えることを特徴とする請求項７〜１０のいずれかに記載の電子機器装置。
【発明の詳細な説明】
【技術分野】
【０００１】
本発明は、可搬型記憶装置及び電子機器装置に関し、詳しくは、生体情報を使用した認証処理を行い、認証された生体情報に対応する設定情報に基づいて装置の設定を行うための可搬型記憶装置及び電子機器装置に関するものである。
【背景技術】
【０００２】
自装置の内部にユーザ毎の設定データを記憶しておき、自装置において指紋情報（生体情報の一種）を用いた認証処理を行うことによってユーザを特定し、特定されたユーザに対応させて記憶されている設定データを用いて自装置を動作させる電子機器装置が発明されている（例えば、特許文献１）。
【特許文献１】特開２００５−６２５９号公報
【発明の開示】
【発明が解決しようとする課題】
【０００３】
しかしながら、特許文献１の電子機器装置では、ユーザ毎の設定データを自装置に記憶するので、複数のユーザの設定データを記憶するために記憶容量が大きい記憶装置が自装置に必要であるという問題がある。また、自装置において指紋情報の認証処理を行うので、高性能な演算処理装置が必要であるという問題もある。さらに、不特定多数のユーザによって使用される自装置の内部にユーザの指紋情報がまとめて記憶されるので何物かによって指紋情報が読み出される等セキュリティ上の問題もある。
【０００４】
本発明は、かかる課題に鑑みてなされたものであり、記憶容量の大きい記憶装置や高性能な演算処理装置を必要とせず、且つ、高いセキュリティを確保しつつ、生体情報を使用して認証したユーザ毎に自装置の設定を行うことが可能な可搬型記憶装置及び電子機器装置を提供することを目的とする。
【課題を解決するための手段】
【０００５】
上記目的を達成するために、請求項１に記載の可搬型記憶装置は、所定の外部装置に着脱自在に装着される可搬型記憶装置であって、生体情報と外部装置の設定情報とを対応付けて記憶する設定記憶手段と、外部から生体情報を取得する第１取得手段と、第１取得手段により取得された生体情報と設定記憶手段に記憶されている生体情報とが同一の個体を示すか否かを判定する判定手段と、判定手段による判定の結果、第１取得手段により取得された生体情報と同一の個体を示す生体情報が設定記憶手段に記憶されている場合に、当該同一の個体を示す生体情報に対応する設定情報を設定記憶手段から読み出して、外部装置の設定を変更するべく外部装置へ送信する設定送信手段とを備えることを特徴としている。
【０００６】
この構成によれば、設定記憶手段により、生体情報と外部装置の設定情報とが対応付けて記憶され、第１取得手段により、外部から生体情報が取得される。また、判定手段により、第１取得手段により取得された生体情報と設定記憶手段に記憶されている生体情報とが同一の個体を示すか否かが判定され、設定手段により、判定手段による判定の結果、第１取得手段により取得された生体情報と同一の個体を示す生体情報が設定記憶手段に記憶されている場合に、当該同一の個体を示す生体情報に対応する設定情報が設定記憶手段から読み出され、外部装置の設定を変更するべく外部装置へ送信される。
【０００７】
このように、外部装置を設定するための設定情報を可搬型記憶装置に記憶するので、外部装置のユーザ毎に設定を変更する場合でも、ユーザ毎の設定情報を可搬型記憶装置に記憶すればよいので、外部装置に大勢のユーザ毎の設定情報を記憶するために容量の大きい記憶装置を設ける必要がない。また、２つの生体情報が同一の個体を示すか否かの判定の処理を可搬型記憶装置で行うので、外部装置に処理負担をかけることがなく、より高性能な演算処理装置を必要としない。さらに、外部装置がインターネットファクシミリ装置等の複合機のように不特定多数の人間に開放されている場合であっても、ユーザの生体情報は、外部装置ではなく、ユーザ毎に管理できる可搬型記憶装置に記憶されているので、外部装置から生体情報が取り出されることがなく、ユーザの個人情報である生体情報が外部に漏れるおそれがなく、高いセキュリティを確保することができる。また、生体情報は可搬型記憶装置の内部でのみ処理され、可搬型記憶装置から外部装置へ送信されることはないので、外部装置への送信時に生体情報が読み取られるおそれがなく、高いセキュリティを確保することができる。
【０００８】
請求項２に記載の可搬型記憶装置は、請求項１に記載の可搬型記憶装置において、判定手段による判定の結果を示す判定結果情報を外部装置へ送信する判定結果送信手段を備え、設定送信手段は、判定結果送信手段により判定結果情報を前記外部装置へ送信した後、外部装置から送信指示を受信した場合に、前記対応する設定情報を送信することを特徴としている。
【０００９】
この構成によれば、判定結果送信手段により、判定手段による判定の結果を示す判定結果情報が外部装置へ送信され、設定送信手段により、判定結果送信手段によって判定結果情報を前記外部装置へ送信した後、外部装置から送信指示を受信した場合に、対応する設定情報が送信される。このように、判定の結果を外部装置に送信し、その後、外部装置から送信指示を受けて設定情報を外部装置へ送信するので、判定の結果、２つの生体情報が同一の個体を示す場合でも、外部装置のユーザの判断によって送信指示を送信させず、設定情報の送信を行わないようにすることも可能となる。
【００１０】
請求項３に記載の可搬型記憶装置は、請求項１又は２に記載の可搬型記憶装置において、外部から生体情報を取得する第２取得手段と、外部装置の設定情報の送信を要求する設定情報要求を外部装置へ送信する要求送信手段と、前記要求送信手段により前記設定情報要求を前記外部装置へ送信した後、前記外部装置から設定情報を受信する設定受信手段とを備え、設定記憶手段は、第２取得手段により取得された生体情報と設定受信手段により受信された設定情報とを対応付けて記憶することを特徴としている。
【００１１】
この構成によれば、第２取得手段により外部から生体情報が取得され、要求送信手段により、外部装置の設定情報の送信を要求する設定情報要求が外部装置へ送信される。そして、設定受信手段により、外部装置から送信された設定情報が受信され、設定記憶手段により、第２取得手段により取得された生体情報と設定受信手段により受信された設定情報とが対応付けて記憶されるので、生体情報と外部装置の設定情報とを対応付けて記憶することができる。
【００１２】
請求項４に記載の可搬型記憶装置は、請求項３に記載の可搬型記憶装置において、外部から生体情報を取得する第３取得手段とを備え、設定記憶手段は、第２取得手段により取得された生体情報と第３取得手段により取得された生体情報とが同一の個体を示す場合に、当該同一の個体を示す生体情報と設定受信手段により受信された設定情報とを対応付けて記憶することを特徴としている。
【００１３】
この構成によれば、第３取得手段により、外部から生体情報が取得され、設定記憶手段により、第２取得手段により取得された生体情報と第３取得手段により取得された生体情報とが同一の個体を示す場合に、当該同一の個体を示す生体情報と設定受信手段により受信された設定情報とが対応付けて記憶されるので、設定情報と対応付けて記憶する生体情報をもう一度示すことによって記憶させる生体情報を確認してから設定記憶手段に記憶することができる。
【００１４】
請求項５に記載の可搬型記憶装置は、請求項１〜４に記載の可搬型記憶装置において、生体情報は、指紋情報であることを特徴としている。この構成によれば、生体情報は指紋情報であるので、簡便に生体情報を取得でき、判定手段による判定も容易となり、判定の精度も上げることができる。
【００１５】
請求項６に記載の可搬型記憶装置は、請求項５に記載の可搬型記憶装置において、判定手段は、第１取得手段により取得された指紋情報と設定記憶手段に記憶されている指紋情報とが同一の指を示すか否かを判定し、設定送信手段は、判定手段による判定の結果、第１取得手段により取得された指紋情報と同一の指を示す指紋情報が設定記憶手段に記憶されている場合に、当該同一の指を示す指紋情報に対応する設定情報を設定記憶手段から読み出して、外部装置の設定を変更するべく外部装置へ送信することを特徴としている。
【００１６】
この構成によれば、判定手段により、第１取得手段により取得された指紋情報と設定記憶手段に記憶されている指紋情報とが同一の指を示すか否かが判定され、設定送信手段により、判定手段による判定の結果、第１取得手段により取得された指紋情報と同一の指を示す指紋情報が設定記憶手段に記憶されている場合に、当該同一の指を示す指紋情報に対応する設定情報が設定記憶手段から読み出され、外部装置の設定を変更するべく外部装置へ送信されるので、同一の個体であっても、つまり、同一のユーザであっても、自分の指毎に設定情報を対応させて記憶することができるので、一人のユーザが複数の指を用いて異なる内容の設定情報を記憶させることができる。
【００１７】
上記目的を達成するために、請求項７に記載の電子機器装置は、記憶されている生体情報と外部から取得した生体情報とが同一の個体を示すか否かを判断し、同一の個体を示すと判断する場合に、当該同一の個体を示す生体情報に対応付けて記憶されている設定情報を送信する可搬型記憶装置を着脱自在に構成された電子機器装置であって、可搬型記憶装置から送信された設定情報を受け付ける設定受付手段と、設定受付手段により受け付けられた設定情報に基づいて自装置の設定を変更する設定変更手段とを備えることを特徴としている。
【００１８】
この構成によれば、記憶されている生体情報と外部から取得した生体情報とが同一の個体を示すか否かを判断し、同一の個体を示すと判断する場合に、当該同一の個体を示す生体情報に対応付けて記憶されている設定情報を送信する可搬型記憶装置が着脱自在であり、設定手段により、可搬型記憶装置から送信された設定情報が受け取られ、設定変更手段により、設定受付手段により受け付けられた設定情報に基づいて自装置の設定が変更される。
【００１９】
このように、自装置を設定するための設定情報を可搬型記憶装置に記憶するので、自装置のユーザ毎に設定を変更する場合でも、ユーザ毎に所有する可搬型記憶装置に設定情報を個別に記憶すればよいので、自装置に大勢のユーザ毎の設定情報を記憶するために容量の大きい記憶装置を設ける必要がない。また、２つの生体情報が同一の個体を示すか否かの判定の処理を可搬型記憶装置で行うので、自装置に処理負担をかけることがなく、より高性能な演算処理装置を必要としない。さらに、自装置がインターネットファクシミリ装置等の複合機のように不特定の人間に開放されている場合であっても、ユーザの生体情報は、自装置ではなく、ユーザ毎に管理できる可搬型記憶装置に記憶されているので、自装置から生体情報が取り出されることがなく、ユーザの個人情報である生体情報が外部に漏れるおそれがなく、高いセキュリティを確保することができる。また、生体情報は可搬型記憶装置の内部でのみ処理され、可搬型記憶装置から自装置へ送信されることはないので、自装置への送信時に生体情報が読み取られるおそれがなく、高いセキュリティを確保することができる。
【００２０】
上記目的を達成するために、請求項８に記載の電子機器装置は、記憶されている生体情報と外部から取得した生体情報とが同一の個体を示すか否かを判断し、当該判定の結果を示す判定結果情報を送信し、当該判定結果情報に応じて送信される送信指示に従って、当該同一の個体を示す生体情報に対応付けて記憶されている設定情報を送信する可搬型記憶装置を着脱自在に構成された電子機器装置であって、判定結果情報を可搬型記憶装置から受信する判定結果受信手段と、判定結果受信手段により受信された判定結果情報を表示する表示手段と、表示手段による表示に応じて行われる入力を受け付ける入力受付手段と、入力受付手段によって受け付けられた入力に応じて、同一の個体を示す生体情報に対応付けられた設定情報の送信を指示する送信指示を可搬型記憶装置に送信する指示送信手段と、可搬型記憶装置から送信された設定情報を受け付ける設定受付手段と、設定受付手段により受け付けられた設定情報に基づいて自装置の設定を変更する設定変更手段とを備えることを特徴としている。
【００２１】
この構成によれば、記憶されている生体情報と外部から取得した生体情報とが同一の個体を示すか否かを判断し、当該判定の結果を示す判定結果情報を送信し、当該判定結果情報に応じて送信される送信指示に従って、当該同一の個体を示す生体情報に対応付けて記憶されている設定情報を送信する可搬型記憶装置が着脱自在であり、判定結果受信手段により、判定結果情報が可搬型記憶装置から受信され、表示手段により、判定結果受信手段により受信された判定結果情報が表示される。そして、入力受付手段により、表示手段による表示に応じて行われる入力が受け付けられ、指示送信手段により、入力手段によって受け付けられた入力に応じて、同一の個体を示す生体情報に対応付けられた設定情報の送信を指示する送信指示が可搬型記憶装置に送信される。さらに、設定受付手段により、可搬型記憶装置から送信された設定情報が受け付けられ、設定変更手段により、設定受付手段により受け付けられた設定情報に基づいて自装置の設定が変更される。
【００２２】
このように、自装置を設定するための設定情報を可搬型記憶装置に記憶するので、自装置のユーザ毎に設定を変更する場合でも、ユーザ毎に所有する可搬型記憶装置に設定情報を個別に記憶すればよいので、自装置に大勢のユーザ毎の設定情報を記憶するために容量の大きい記憶装置を設ける必要がない。また、２つの生体情報が同一の個体を示すか否かの判定の処理を可搬型記憶装置で行うので、自装置に処理負担をかけることがなく、より高性能な演算処理装置を必要としない。さらに、自装置がインターネットファクシミリ装置等の複合機のように不特定の人間に開放されている場合であっても、ユーザの生体情報は、自装置ではなく、ユーザ毎に管理できる可搬型記憶装置に記憶されているので、自装置から生体情報が取り出されることがなく、ユーザの個人情報である生体情報が外部に漏れるおそれがなく、高いセキュリティを確保することができる。また、生体情報は可搬型記憶装置の内部でのみ処理され、可搬型記憶装置から自装置へ送信されることはないので、自装置への送信時に生体情報が読み取られるおそれがなく、高いセキュリティを確保することができる。
【００２３】
また、判定結果を自装置に表示し、その表示に基づいて行われる入力に基づいて、可搬型記憶装置に設定情報を送信させて設定を変更するか否かを決定するので、判定により、生体情報が同一の個体を示すと判定された場合にも、ユーザが最終的に可搬型記憶装置に記憶されている設定情報を使用して自装置の設定を変更するか否かを判断することができる。
【００２４】
請求項９に記載の電子機器装置は、請求項７又は８に記載の電子機器装置において、設定変更手段による変更前の自装置の設定に対応する設定情報を記憶する退避用記憶手段と、退避用記憶手段に記憶されている設定情報に基づいて、自装置の設定を変更前の設定に戻す設定復帰手段とを備えることを特徴としている。
【００２５】
この構成によれば、退避用記憶手段により、設定変更手段による変更前の自装置の設定に対応する設定情報が記憶され、設定復帰手段により、退避用記憶手段に記憶されている設定情報に基づいて、自装置の設定が変更前の設定に戻されるので、自装置の設定を変更した後で、変更された設定を元に戻すことができる。
【００２６】
請求項１０に記載の電子機器装置は、請求項９に記載の電子機器装置において、可搬型記憶装置の自装置からの取り外しを検出する検出手段を備え、設定復帰手段は、検出手段により可搬型記憶装置の自装置からの取り外しが検出された場合に、退避用記憶手段に記憶されている設定情報に基づいて、自装置の設定を変更前の設定に戻すことを特徴としている。
【００２７】
この構成によれば、検出手段により、可搬型記憶装置の自装置からの取り外しが検出され、設定復帰手段により、検出手段によって可搬型記憶装置の自装置からの取り外しが検出された場合に、退避用記憶手段に記憶されている設定情報に基づいて、自装置の設定が変更前の設定に戻されるので、設定を変更したユーザによる自装置の使用が終わり、可搬型記憶装置が取り外されたときに、確実に、自装置の設定を元に戻すことができる。
【００２８】
請求項１１に記載の電子機器装置は、請求項７〜１０のいずれかに記載の電子機器装置において、外部から自装置を設定する操作を受け付ける操作受付手段と、設定情報の送信を要求する設定情報要求を可搬型記憶装置から受信する要求受信手段と、要求受信手段により設定情報要求が受信された場合に、操作受付手段が受け付けた設定の操作に対応する設定情報を、可搬型記憶装置が外部から取得した生体情報と対応付けて記憶するべく可搬型記憶装置へ送信する記憶指示手段とを備えることを特徴としている。
【００２９】
この構成によれば、操作受付手段により、外部から自装置を設定する操作が受け付けられ、要求受信手段により、設定情報の送信を要求する設定情報要求が可搬型記憶装置から受信される。そして、記憶指示手段により、要求受信手段によって設定情報要求が受信された場合に、操作受付手段が受け付けた設定の操作に対応する設定情報が、可搬型記憶装置が外部から取得した生体情報と対応付けて記憶するべく可搬型記憶装置へ送信されるので、外部から受け付けた設定に対応する設定情報を生体情報と対応付けて可搬型記憶装置に記憶させることができる。
【発明の効果】
【００３０】
請求項１に記載の可搬型記憶装置によれば、外部装置を設定するための設定情報を可搬型記憶装置に記憶するので、外部装置のユーザ毎に設定を変更する場合でも、ユーザ毎に所有する可搬型記憶装置に設定情報を個別に記憶すればよいので、外部装置に大勢のユーザ毎の設定情報を記憶するために容量の大きい記憶装置を設ける必要がないという効果が得られる。また、２つの生体情報が同一の個体を示すか否かの判定の処理を可搬型記憶装置で行うので、外部装置に処理負担をかけることがなく、より高性能な演算処理装置を必要としないという効果が得られる。さらに、外部装置がインターネットファクシミリ装置等の複合機のように不特定の人間に開放されている場合であっても、ユーザの生体情報は、外部装置ではなく、ユーザ毎に管理できる可搬型記憶装置に記憶されているので、外部装置から生体情報が取り出されることがなく、ユーザの個人情報である生体情報が外部に漏れるおそれがなく、高いセキュリティを確保することができるという効果が得られる。また、生体情報は可搬型記憶装置の内部でのみ処理され、可搬型記憶装置から外部装置へ送信されることはないので、外部装置への送信時に生体情報が読み取られるおそれがなく、高いセキュリティを確保することができるという効果が得られる。
【００３１】
請求項２に記載の可搬型記憶装置によれば、判定の結果を外部装置に送信し、外部装置から判定の結果を受けて送信される送信指示を受けて設定情報を外部装置へ送信するので、判定の結果、２つの生体情報が同一の個体を示す場合でも、外部装置のユーザの判断によって送信指示を送信させずに設定情報の送信を行わないようにすることも可能となるという効果が得られる。
【００３２】
請求項３に記載の可搬型記憶装置によれば、第２取得手段により外部から生体情報が取得され、要求送信手段により、外部装置の設定情報の送信を要求する設定情報要求が外部装置へ送信される。そして、設定受信手段により、設定情報要求を受けて外部装置から送信された設定情報が受信され、設定記憶手段により、第２取得手段により取得された生体情報と設定受信手段により受信された設定情報とが対応付けて記憶されるので、生体情報と外部装置の設定情報とを対応付けて記憶することができるという効果が得られる。
【００３３】
請求項４に記載の可搬型記憶装置によれば、第３取得手段により、外部から生体情報が取得され、設定記憶手段により、第２取得手段により取得された生体情報と第３取得手段により取得された生体情報とが同一の個体を示す場合に、当該同一の個体を示す生体情報と設定受信手段により受信された設定情報とが対応付けて記憶されるので、設定情報と対応付けて記憶する生体情報をもう一度示すことによって記憶する生体情報を確認してから設定記憶手段に記憶することができるという効果が得られる。
【００３４】
請求項５に記載の可搬型記憶装置によれば、生体情報は指紋情報であるので、簡便に生体情報を取得でき、判定手段による判定も容易となり、判定の精度も上げることができるという効果が得られる。
【００３５】
請求項６に記載の可搬型記憶装置によれば、判定手段により、第１取得手段により取得された指紋情報と設定記憶手段に記憶されている指紋情報とが同一の指を示すか否かが判定され、設定送信手段により、判定手段による判定の結果、第１取得手段により取得された指紋情報と同一の指を示す指紋情報が設定記憶手段に記憶されている場合に、当該同一の指を示す指紋情報に対応する設定情報が設定記憶手段から読み出され、外部装置の設定を変更するべく外部装置へ送信されるので、同一の個体であっても、つまり、同一のユーザであっても、自分の指毎に設定情報を対応させて記憶することができるので、一人のユーザが複数の指を用いて異なる内容の設定情報を記憶することができるという効果が得られる。
【００３６】
請求項７に記載の電子機器装置によれば、自装置を設定するための設定情報を可搬型記憶装置に記憶するので、自装置のユーザ毎に設定を変更する場合でも、ユーザ毎に所有する可搬型記憶装置に設定情報を個別に記憶すればよいので、自装置に大勢のユーザ毎の設定情報を記憶するために容量の大きい記憶装置を設ける必要がないという効果が得られる。また、２つの生体情報が同一の個体を示すか否かの判定の処理を可搬型記憶装置で行うので、自装置に処理負担をかけることがなく、より高性能な演算処理装置を必要としないという効果が得られる。さらに、自装置がインターネットファクシミリ装置等の複合機のように不特定の人間に開放されている場合であっても、ユーザの生体情報は、自装置ではなく、ユーザ毎に管理できる可搬型記憶装置に記憶されているので、自装置から生体情報が取り出されることがなく、ユーザの個人情報である生体情報が外部に漏れるおそれがなく、高いセキュリティを確保することができるという効果が得られる。また、生体情報は可搬型記憶装置の内部でのみ処理され、可搬型記憶装置から自装置へ送信されることはないので、自装置への送信時に生体情報が読み取られるおそれがなく、高いセキュリティを確保することができるという効果が得られる。
【００３７】
請求項８に記載の電子機器装置によれば、自装置を設定するための設定情報を可搬型記憶装置に記憶するので、自装置のユーザ毎に設定を変更する場合でも、ユーザ毎に所有する可搬型記憶装置に設定情報を個別に記憶すればよいので、自装置に大勢のユーザ毎の設定情報を記憶するために容量の大きい記憶装置を設ける必要がないという効果が得られる。また、２つの生体情報が同一の個体を示すか否かの判定の処理を可搬型記憶装置で行うので、自装置に処理負担をかけることがなく、より高性能な演算処理装置を必要としないという効果が得られる。さらに、自装置がインターネットファクシミリ装置等の複合機のように不特定の人間に開放されている場合であっても、ユーザの生体情報は、自装置ではなく、ユーザ毎に管理できる可搬型記憶装置に記憶されているので、自装置から生体情報が取り出されることがなく、ユーザの個人情報である生体情報が外部に漏れるおそれがなく、高いセキュリティを確保することができるという効果が得られる。また、生体情報は可搬型記憶装置の内部でのみ処理され、可搬型記憶装置から自装置へ送信されることはないので、自装置への送信時に生体情報が読み取られるおそれがなく、高いセキュリティを確保することができるという効果が得られる。また、判定結果を自装置に表示し、その表示に基づいて行われる入力に基づいて、可搬型記憶装置に設定情報を送信させて設定を変更するか否かを決定するので、判定により、生体情報が同一の個体を示すと判定された場合にも、ユーザが最終的に可搬型記憶装置に記憶されている設定情報を使用して自装置の設定を変更するか否かを判断することができるという効果が得られる。
【００３８】
請求項９に記載の電子機器装置によれば、退避用記憶手段により、設定変更手段による変更前の自装置の設定に対応する設定情報が記憶され、設定復帰手段により、退避用記憶手段に記憶されている設定情報に基づいて、自装置の設定が変更前の設定に戻されるので、自装置の設定を変更した後で、変更された設定を元に戻すことができるという効果が得られる。
【００３９】
請求項１０に記載の電子機器装置によれば、検出手段により、可搬型記憶装置の自装置からの取り外しが検出され、設定復帰手段により、検出手段によって可搬型記憶装置の自装置からの取り外しが検出された場合に、退避用記憶手段に記憶されている設定情報に基づいて、自装置の設定が変更前の設定に戻されるので、設定を変更したユーザによる自装置の使用が終わり、可搬型記憶装置が取り外されたときに、確実に、自装置の設定を元に戻すことができるという効果が得られる。
【００４０】
請求項１１に記載の電子機器装置によれば、操作受付手段により、外部から自装置を設定する操作が受け付けられ、要求受信手段により、設定情報の送信を要求する設定情報要求が可搬型記憶装置から受信される。そして、記憶指示手段により、要求受信手段によって設定情報要求が受信された場合に、操作受付手段が受け付けた設定の操作に対応する設定情報が、可搬型記憶装置が外部から取得した生体情報と対応付けて記憶するべく可搬型記憶装置へ送信されるので、外部から受け付けた設定に対応する設定情報を生体情報と対応付けて可搬型記憶装置に記憶させることができるという効果が得られる。
【発明を実施するための最良の形態】
【００４１】
以下、本発明の電子機器装置の一例としてのインターネットファクシミリ装置１と、本発明の可搬型記憶装置の一例としてのポータブル記憶装置２について、図面に基づいて説明する。インターネットファクシミリ装置１は、印刷機能、複写機能、ファクシミリ通信機能、電子メール送信機能等を備えており、ポータブル記憶装置２から送信される設定情報に基づいて、自装置の各種機能について設定することができる。ポータブル記憶装置２は、インターネットファクシミリ装置１を設定するための設定情報をユーザの指紋情報（生体情報の一種）と対応付けて記憶することができる。
【００４２】
図１は、インターネットファクシミリ装置１の構成例を示したブロック図である。このインターネットファクシミリ装置１は、図１に示すように、制御部（ＭＰＵ：Microprocessing Unit）１１１、ＲＯＭ（Read Only Memory）１１２、ＲＡＭ（Random Access Memory）１１３、原稿読取部１１４、画像処理部１１５、コーデック（ＣＯＤＥＣ：Coder and Decoder）１１６、画像メモリ１１７、プリンタ１１８、操作部１１９、報知部１２０、ＦＡＸ通信部１２１、ＬＡＮ―Ｉ／Ｆ（Local Area Network Interface）１２２、及び、ＵＳＢ（Universal Serial Bus）ホストコントローラ１２３を備えており、各部１１１〜１２３は、バス１２４によって通信可能に接続されている。
【００４３】
制御部１１１は、ＲＯＭ１１２に記憶された制御プログラムに従ってインターネットファクシミリ装置１の各部の動作を制御する。ＲＯＭ１１２は、制御部１１１によりこのインターネットファクシミリ装置１の各部の動作を制御するための前記制御プログラム等を記憶するメモリである。ＲＡＭ１１３は、インターネットファクシミリ装置１の動作に用いる各種データ等を記憶するものである。
【００４４】
原稿読取部１１４は、原稿の画像を読み取って画像データを生成するものであり、図示しないが、例えば、透明な原稿載置板に載置された原稿を読み取るフラット・ベッド・スキャナ（ＦＢＳ：Flat Bed Scanner）や、原稿トレイに載置された原稿を読み取るべく、その原稿を搬送する自動原稿給送装置（ＡＤＦ：Automatic Document Feeder）を備えている。
【００４５】
画像処理部１１５は、原稿読取部１１４から出力された画像データに対して、色調整、色空間変換、２値化等の処理を行うものである。コーデック１１６は、画像処理部１１５によって処理された画像データを符号化（エンコード）し、また、符号化されたされた画像データを復号（デコード）するものである。コーデック１１６に入力された画像データは、ＪＰＥＧ、ＭＨ、ＭＲ、ＭＭＲ、ＪＢＩＧ方式等に基づいて符号化され、画像メモリ１１７に記憶される。
【００４６】
プリンタ１１８は、画像メモリ１１７から読み出され、コーデック１１６によって復号された画像データを印刷出力するものである。
【００４７】
操作部１１９は、図示しないが、原稿読取部１１４に原稿の読み取り動作の開始を指示するためのスタートキー、ファクシミリ番号やコピー部数等を入力するためのテンキー、操作対象を指定するためのカーソルキー等の他、自装置１に対して各種の設定を行うためのその他の入力キーを備えている。報知部１２０は、各種の設定状態や自装置１の動作状態等を文字や図形等で表示するタッチパネル式の液晶表示装置（ＬＣＤ：Liquid Crystal Display）や、点灯又は消灯で表示するＬＥＤランプ、所定の警告音を鳴動するスピーカ等を備えている。
【００４８】
ＦＡＸ通信部１２１は、原稿の画像データをファクシミリ送受信するものであり、図示しないが、モデム（ＭＯＤＥＭ：MOdulator-DEModulator）及びＮＣＵ（Network Control Unit）を備えている。モデムは、例えばＩＴＵ−Ｔ（国際電気通信連合電気通信標準化部門）の勧告Ｖ．３４規格又はこれと同様のものに従った送受信データの変調及び復調を行うものである。ＮＣＵは、電話回線を制御して電話をかけたり、切ったりする回線網制御装置であり、図示しないＰＳＴＮ（Public Switched Telephone Network）に接続される。ＰＳＴＮには、Ｇ３ファクシミリ装置等が通信可能に接続され、インターネットファクシミリ装置１は、Ｇ３ファクシミリ装置等との間で画像データをファクシミリ送受信することが可能である。
【００４９】
ＬＡＮ−Ｉ／Ｆ１２２は、インターネットファクシミリ装置１を図示しないＬＡＮに接続可能にするものである。ＬＡＮには、パーソナルコンピュータ等が接続され、インターネットファクシミリ装置１はパーソナルコンピュータとの間でデータの通信が可能である。また、ＬＡＮにはルータも接続されており、インターネットファクシミリ装置１は、ルータを介してインターネットとも接続される。したがって、インターネットファクシミリ装置１は、インターネットに接続される他のインターネットファクシミリ装置との間でインターネットファクシミリ送信を行うことも可能である。
【００５０】
ＵＳＢコストコントローラ１２３は、ＵＳＢのホストコントローラ機能を実現するものである。ＵＳＢコントローラ１２３に設けられたＵＳＢポート１２３ａに、ＵＳＢケーブル３の一端が接続され、他端がポータブル記憶装置２のＵＳＢポート２１５ａに接続されることにより、インターネットファクシミリ装置１とポータブル記憶装置２とが通信可能に接続される。
【００５１】
このようなインターネットファクシミリ装置１は、上述したように、印刷機能、複写機能、ファクシミリ通信機能、電子メール送信機能等を備えており、操作部１１９に設けられた各種のキーを操作することによって、各機能を実行する上でのさまざまな設定を行うことができる。例えば、印刷機能を使用して印刷する場合の印刷画の濃淡や、ファクシミリ通信機能を使用してファクシミリ通信を行う際のリトライ回数等を設定できる。また、操作部１１９及び報知部１２０を使用してインターネットファクシミリ装置１を操作する場合における、報知部１２０の液晶表示装置に表示するメニューの表示態様や表示項目をも設定することができる。これらの設定は、操作部１１９及び報知部１２０を用いて設定するだけでなく、ポータブル記憶装置２から送信される設定情報に基づいて設定することも可能である。
【００５２】
図２は、ポータブル記憶装置２の構成例を示したブロック図である。このポータブル記憶装置２は、図２に示すように、制御部（ＭＰＵ）２１１、ＲＯＭ２１２、ＲＡＭ１１３、指紋読取部２１４、及び、ＵＳＢ通信部２１５を備えており、各部２１１〜２１５は、バス２１６によって通信可能に接続されている。
【００５３】
制御部２１１は、ＲＯＭ２１２に記憶された制御プログラムに従ってポータブル記憶装置２の各部の動作を制御する。ＲＯＭ２１２は、制御部２１１によりこのポータブル記憶装置２の各部の動作を制御するための前記制御プログラム等を記憶するメモリである。ＲＡＭ２１３は、ポータブル記憶装置２の動作に用いる各種データ等を記憶するものである。
【００５４】
指紋読取部２１４は、ユーザの指紋の凹凸を読み取るセンサを備え、当該センサによって読み取った指紋の凹凸に対応した電子データ（指紋情報）を生成するものである。指紋の凹凸を読み取るセンサは、感熱式、半導体式、光学式等、どのような方式でもよく、既存のセンサを用いることができる。
【００５５】
ＵＳＢ通信部２１５は、ＵＳＢホストコントローラを備えた装置との間でＵＳＢ接続による通信を実現するためのものである。ＵＳＢ通信部２１５が備えるＵＳＢポート２１５ａに、ＵＳＢケーブル３の一端が接続され、他端がインターネットファクシミリ装置１のＵＳＢコントローラ１２３が備えるＵＳＢポート１２３ａに接続されることにより、ポータブル記憶装置２とインターネットファクシミリ装置１との間でＵＳＢ接続による通信が可能になる。
【００５６】
上述したように、ポータブル記憶装置２は、ＵＳＢメモリのような記憶装置としての機能の他に、指紋の認証機能も有しており、インターネットファクシミリ装置１を設定するための設定情報をユーザの指紋の情報である指紋情報と対応付けて記憶することができる。そして、インターネットファクシミリ装置１から設定情報を送信せよとの要求があった場合には、外部からユーザの指紋情報を取得し、取得した指紋情報と自装置が記憶している指紋情報とが同一のユーザを示すかどうかを判定し、両方の指紋情報が同一のユーザを示す場合には、その指紋情報と対応付けて記憶している設定情報をインターネットファクシミリ装置１に送信する。なお、ポータブル記憶装置２とインターネットファクシミリ装置１とは、ＵＳＢケーブル３を介さずに、直接的に接続する構成であってもよいことは言うまでもない。
【００５７】
次に、図３及び図４を用いて、インターネットファクシミリ装置１を設定するための設定情報と、当該設定情報に基づいて設定されたインターネットファクシミリ装置１を使用するユーザの指紋である指紋情報と対応付けてポータブル記憶装置２に記憶する場合に、インターネットファクシミリ装置１の制御部１１１が実行する処理と、ポータブル記憶装置２の制御部２１１が実行する処理の例を説明する。なお、制御部１１１と制御部２１１とは、お互いに通信を行って連携して処理を実行するため、相手装置における処理を待つための待機が生じるが、図３及び図４では、説明の都合上これらの待機を省略する。また、図３及び図４に示す処理の順序はこれらに限定されるものではなく、順序を変更しても本発明を実現できる場合には適宜に変更してよい。
【００５８】
まず、制御部１１１は、ユーザにより、インターネットファクシミリ装置１を使用する際の設定をポータブル記憶装置２に登録する指示が行われたか否かを判断する（Ｓ１０１）。指示が行われていないと判断すると待機する（Ｓ１０１：ＮＯ）。一方、指示が行われたと判断すると（Ｓ１０１：ＹＥＳ）、制御部１１１は、ポータブル記憶装置２がインターネットファクシミリ装置１に接続されているか否かを判断する（Ｓ１０２）。ポータブル記憶装置２が接続されていないと判断すると（Ｓ１０２：ＮＯ）、待機する。一方、ポータブル記憶装置２が接続されていると判断すると（Ｓ１０２：ＹＥＳ）、制御部１１１は、設定を登録する処理の開始を指示する設定登録処理開始指示を、ポータブル記憶装置２に送信する（Ｓ１０３）。
【００５９】
ポータブル記憶装置２では、インターネットファクシミリ装置１から送信された設定登録処理開始指示を受信し、制御部２１１は、指紋読取部２１４を介して、外部からユーザの指紋情報を取得する（Ｓ２０１）。ここで取得される指紋情報を「第１の指紋情報」と呼ぶ。制御部２１１は、第１の指紋情報の取得が完了したか否かを判断する（Ｓ２０２）。第１の指紋情報の取得が完了していないと判断すると（Ｓ２０２：ＮＯ）、第１の指紋情報を取得する処理を続行する。一方、第１の指紋情報の取得が完了したと判断すると（Ｓ２０２：ＹＥＳ）、制御部２１１は、インターネットファクシミリ装置１の設定情報の送信を要求する設定情報要求をインターネットファクシミリ装置１に対して送信する（Ｓ２０３）。
【００６０】
インターネットファクシミリ装置１では、ステップ３（Ｓ１０３）で、設定登録処理開始指示をポータブル記憶装置２に送信した後、制御部１１１は、現在のインターネットファクシミリ装置１の設定を示す設定情報を生成し、この設定情報をＲＡＭ１１３の所定の領域に記憶させることにより現在の設定を退避させる（Ｓ１０４）。そして、制御部１１１は、ユーザによるインターネットファクシミリ装置１を設定する操作を、操作部１１９を介して受け付け（Ｓ１０５）、設定の操作の受け付けが完了したか否かを判断する（Ｓ１０６）。設定の操作の受け付けが完了したか否かは、たとえば、操作部１１９がユーザによる設定の操作を終了する操作を受け付けたか否かによって判断する。設定の操作の受け付けが完了していないと判断すると（Ｓ１０６：ＮＯ）、設定の操作の受け付けを続行する。一方、設定の操作の受け付けが完了したと判断すると（Ｓ１０６：ＹＥＳ）、ステップ１０７（Ｓ１０７）に処理を進める。
【００６１】
ステップ１０７では、制御部１１１は、ステップ２０３（Ｓ２０３）において、ポータブル記憶装置２から送信された設定情報要求を受信する。設定情報要求を受信すると、制御部１１１は、現在、インターネットファクシミリ装置１で有効となっている設定、つまり、ステップ５において受け付けた設定を示す設定情報を生成し、この設定情報をポータブル記憶装置２に送信する。
【００６２】
ポータブル記憶装置２では、インターネットファクシミリ装置１から送信された設定情報を受信し（Ｓ２０４）、再び指紋読取部２１４を介して、外部からユーザの指紋情報を取得する（Ｓ２０５）。ここで取得される指紋情報を「第２の指紋情報」と呼ぶ。制御部２１１は、第２の指紋情報の取得が完了したか否かを判断する（Ｓ２０６）。第２の指紋情報の取得が完了していないと判断すると（Ｓ２０６：ＮＯ）、第２の指紋情報を取得する処理を続行する。一方、第２の指紋情報の取得が完了したと判断すると（Ｓ２０６：ＹＥＳ）、制御部２１１は、第１の指紋情報と第２の指紋情報とが同一の個体、つまり、同一のユーザを示すか否かを判定する（Ｓ２０７）。この判定では、いわゆる指紋認証処理を行うが、指紋認証のアルゴリズムは、指紋の画像のパターンマッチングを行うもの、指紋の画像から抽出した特徴点を使用するもの等、どのようなものであってもよく、既存の技術を利用することができる。なお、指紋読取部２１４は、指紋認証のアルゴリズムに応じた電子データ（指紋情報）を生成する。
【００６３】
制御部２１１は、ステップ２０７（Ｓ２０７）における判定の結果が、第１の指紋情報と第２の指紋情報とが同一の個体（ユーザ）を示すか否かを判断する（Ｓ２０９）。第１の指紋情報と第２の指紋情報とが同一の個体（ユーザ）を示すと判断すると（Ｓ２０９：ＹＥＳ）、インターネットファクシミリ装置１から受信した設定情報と第１の指紋情報とを対応付けてＲＡＭ２１３に記憶（登録）し（Ｓ２１０）、処理を終了する。なお、設定情報と対応付けて記憶する指紋情報は、第２の指紋情報であってもよい。一方、第１の指紋情報と第２の指紋情報とが同一の個体（ユーザ）を示さないと判断すると（Ｓ２０９：ＮＯ）、ステップ２１０（Ｓ２１０）をスキップして処理を終了する。このように、インターネットファクシミリ装置１の設定情報を受信する前後で、ユーザの指紋情報を取得し、両方の指紋情報が同一のユーザを示す場合にのみ、設定情報を記憶することにより、間違いなく、インターネットファクシミリ装置１に設定を行ったユーザの指紋情報と当該ユーザによって設定された設定を示す設定情報とを対応付けて記憶することができる。
【００６４】
インターネットファクシミリ装置１では、ポータブル記憶装置２から送信された判定結果情報を受信し（Ｓ１０９）、制御部１１１は、その判定結果情報が、第１の指紋情報と第２の指紋情報とが同一の個体（ユーザ）を示すとの判定であるか否かを判断する（Ｓ１１０）。同一の個体（ユーザ）を示す判定であると判断すると（Ｓ１１０：ＹＥＳ）、ステップ１２（Ｓ１１２）に処理を進める。一方、同一の個体（ユーザ）を示す判定でないと判断すると（Ｓ１１０：ＮＯ）、エラー処理を行う（Ｓ１１１）。具体的には、このエラー処理では、報知部１２０が備える液晶表示装置にエラーメッセージを表示し、ＬＥＤランプを点滅させ、さらに、スピーカーから所定の警告音を鳴動させる。
【００６５】
ステップ１１２では、制御部１１１は、インターネットファクシミリ装置１から、ポータブル記憶装置２が取り外されたか否かを判断する。ポータブル記憶装置２が取り外されていないと判断すると（Ｓ１１２：ＮＯ）、待機する。一方、ポータブル記憶装置２が取り外されたと判断すると（Ｓ１１２：ＹＥＳ）、制御部１１１は、ステップ４（Ｓ１０４）で、ＲＡＭ１１３に退避されていた設定情報に基づいて、ユーザによって変更される前の設定を復帰させる（Ｓ１１３）。
【００６６】
このようにして、ユーザによってインターネットファクシミリ装置１に対して行われた設定を示す設定情報が、当該ユーザの指紋情報と対応付けて、ポータブル記憶装置２に記憶される。
【００６７】
次に、図５及び図６を用いて、ポータブル記憶装置２に記憶されている設定情報を使用して、インターネットファクシミリ装置１の設定を行う場合に、インターネットファクシミリ装置１の制御部１１１が実行する処理と、ポータブル記憶装置２の制御部２１１が実行する処理の例を説明する。なお、制御部１１１と制御部２１１とは、お互いに通信を行って連携して処理を実行するため、相手装置における処理を待つための待機が生じるが、図５及び図６では、説明の都合上これらの待機を省略する。また、図５及び図６に示す処理の順序はこれらに限定されるものではなく、順序を変更しても本発明を実現できる場合には適宜に変更してよい。
【００６８】
まず、制御部１１１は、ユーザにより、ポータブル記憶装置２に記憶されている設定情報を使用したインターネットファクシミリ装置１の設定の変更が指示されたか否かを判断する（Ｓ３０１）。設定の変更が指示されていないと判断すると（Ｓ３０１：ＮＯ）、待機する。一方、設定の変更が指示されたと判断すると（Ｓ３０１：ＹＥＳ）、制御部１１１は、インターネットファクシミリ装置１にポータブル記憶装置２が接続されているか否かを判断する（Ｓ３０２）。ポータブル記憶装置２が接続されていないと判断すると（３０２：ＮＯ）、待機する。一方、ポータブル記憶装置２が接続されていると判断すると（３０２：ＹＥＳ）、ポータブル記憶装置２が記憶している設定情報をインターネットファクシミリ装置１に送信する処理の開始を指示する設定送信処理開始指示をポータブル記憶装置２に送信する（Ｓ３０３）。
【００６９】
ポータブル記憶装置２では、インターネットファクシミリ装置１から送信された設定送信処理開始指示を受信して、制御部２１１は、指紋読取部２１４を介して、外部からユーザの指紋情報を取得する（Ｓ４０１）。ここで取得される指紋情報を「第３の指紋情報」と呼ぶ。制御部２１１は、第３の指紋情報の取得が完了したか否かを判断する（Ｓ４０２）。第３の指紋情報の取得が完了していないと判断すると（Ｓ４０２：ＮＯ）、第３の指紋情報を取得する処理を続行する。一方、第３の指紋情報の取得が完了したと判断すると（Ｓ４０２：ＹＥＳ）、制御部２１１は、第３の指紋情報とＲＡＭ２１３に設定情報と対応付けて記憶されている指紋情報とが同一の個体（ユーザ）を示すか否かを判定する（指紋認証処理）（Ｓ４０３）。この２つの指紋情報が同一の個体（ユーザ）を示すか否かの判定（指紋認証処理）は、２つの指紋情報が同一の個体の同一の指の指紋を示すか否かを判断することによって行う。したがって、特定のユーザが異なる指毎に設定情報を対応付けることにより、複数の設定情報をポータブル記憶装置２に記憶させることも可能である。ＲＡＭ２１３に複数の設定情報とこれらにそれぞれ対応付けられた複数の指紋情報とが存在する場合には、ステップ４０３（Ｓ４０３）の判定では、ＲＡＭ２１３に記憶されているすべての指紋情報について、第３の指紋情報が示す個体（ユーザ）の指と同一の個体の指を示すか否かを判定する。そして、この判定の結果を示す判定結果情報をインターネットファクシミリ装置１に送信する（Ｓ４０４）。
【００７０】
インターネットファクシミリ装置１では、ポータブル記憶装置２から送信された判定結果情報を受信し（Ｓ３０４）、制御部１１１は、受信した判定結果情報に基づいて、ポータブル記憶装置２におけるユーザの認証が成功したか否か（読み取られた第３指紋情報と同一のユーザを示す指紋情報がポータブル記憶装置２に記憶されていたか否か）を判断する（Ｓ３０５）。ポータブル記憶装置２におけるユーザの認証が成功しなかったと判断すると（Ｓ３０５：ＮＯ）、エラー処理を実行する（Ｓ３１５）。具体的には、このエラー処理では、報知部１２０が備える液晶表示装置にエラーメッセージを表示し、ＬＥＤランプを点滅させ、さらに、スピーカーから所定の警告音を鳴動させる。一方、ユーザの認証が成功したと判断すると（Ｓ３０５：ＹＥＳ）、制御部１１１は、受信した判定結果情報に基づいて、当該判定結果を報知部１２０が備える液晶表示装置に表示する（Ｓ３０６）。
【００７１】
ここで、ユーザは、液晶表示装置に表示された判定結果の表示を参照し、判定結果がユーザが認証されたことを示す場合には、ポータブル記憶装置２に記憶されている設定情報を使用してインターネットファクシミリ装置１の設定を変更するか否かを選択し、その選択を操作部１１９を介して入力することができる。
【００７２】
制御部１１１は、上記のユーザによる選択操作の入力を受け付け（Ｓ３０７）、このユーザによる入力に基づいて、ポータブル記憶装置２に記憶されている設定情報を使用して、インターネットファクシミリ装置１の設定を変更するか否かを判断する（Ｓ３０８）。設定情報を使用して設定を変更しないと判断すると（Ｓ３０８：ＮＯ）、処理を終了する。一方、設定情報を使用して設定を変更すると判断すると（Ｓ３０８：ＹＥＳ）、制御部１１１は、設定情報の送信を指示する送信指示をポータブル記憶装置２に送信する（Ｓ３０９）。
【００７３】
ポータブル記憶装置２では、インターネットファクシミリ装置１から送信された送信指示を受信し（Ｓ４０５）、受信した送信指示による指示を受けて、ステップ４０３（Ｓ４０３）の判定において、第３の指紋情報と同一の個体（ユーザ）を示すと判定された指紋情報と対応付けて記憶されている設定情報をＲＡＭ２１３から読み出し、この設定情報をインターネットファクシミリ装置１に送信する（Ｓ４０６）。
【００７４】
インターネットファクシミリ装置１では、ポータブル記憶装置２から送信された設定情報を受信すると（Ｓ３１０）、制御部１１１は、現在、インターネットファクシミリ装置１に設定されている設定を示す設定情報を生成し、この設定情報をＲＡＭ１１３の所定の領域に記憶することによって、現在の設定を退避させる（Ｓ３１１）。そして、ポータブル記憶装置２から受信した設定情報に基づいてインターネットファクシミリ装置１の設定を変更する（Ｓ３１２）。
【００７５】
ユーザは、設定を変更したインターネットファクシミリ装置１を使用した所定の作業（原稿の複写、原稿のＦＡＸ送信等）を終えると、ポータブル記憶装置２をインターネットファクシミリ装置１から取り外す。
【００７６】
制御部１１１は、ポータブル記憶装置２が取り外されたか否かを判断し（Ｓ３１３）、取り外されていないと判断すると（Ｓ３１３：ＮＯ）、待機する。一方、ポータブル記憶装置２が取り外されたと判断すると（Ｓ３１３：ＹＥＳ）、ステップ３１１（Ｓ３１１）においてＲＡＭ１１３に退避させた設定情報を使用してインターネットファクシミリ装置１を設定し、ユーザによって変更される前の設定を復帰させ（Ｓ３１４）、処理を終了する。
【００７７】
このようにして、ポータブル記憶装置２によって読み取られた指紋（＝指紋情報）と同一の個体を示す指紋情報と対応付けて記憶されている設定情報がポータブル記憶装置２からインターネットファクシミリ装置１に送信され、送信された設定情報に基づいてインターネットファクシミリ装置１の設定が変更される。
【００７８】
以上に説明したように、本発明に係るインターネットファクシミリ装置１及びポータブル記憶装置２によれば、ユーザの指紋情報と、インターネットファクシミリ装置１へのユーザによる設定を示す設定情報とを対応付けてポータブル記憶装置２のＲＡＭ２１３に記憶する。そして、ポータブル記憶装置２が備える指紋読取部２１４でユーザの指紋を読み取って指紋情報を生成し、生成したこの指紋情報とＲＡＭ２１３に記憶されている指紋情報とが同一のユーザを示すか否かを判定し、両者が同一のユーザを示すと判定された場合に、同一のユーザを示すと判定された指紋情報と対応付けてＲＡＭ２１３に記憶されている設定情報をインターネットファクシミリ装置に送信し、送信された設定情報を使用してインターネットファクシミリ装置１の設定（変更）を行う。
【００７９】
このように、ユーザ毎の設定情報をインターネットファクシミリ装置１に記憶するのではなく、ユーザ毎のポータブル記憶装置２に記憶するので、大勢のユーザがインターネットファクシミリ装置１の設定を設定情報を使用して変更する場合でも、インターネットファクシミリ装置１に、複数のユーザの設定情報を記憶するための大容量の記憶装置を搭載する必要がない。また、２つの指紋情報が同一のユーザを示すか否かを判定する処理（認証処理）を、ポータブル記憶装置２で実行するので、インターネットファクシミリ装置１は、従来からの処理を実行するのに必要な性能以上の性能を有するＭＰＵ等の演算処理装置を必要とせず、複数の処理を同時に平行して実行するインターネットファクシミリ装置１のＭＰＵに更なる負担をかけることもない。さらに、ユーザの指紋情報は、ユーザによって個々に管理されるポータブル記憶装置２の内部にのみ存在し、指紋認証のために不特定多数の人間に開放されたインターネットファクシミリ装置１に送信されたり、当該インターネットファクシミリ装置１の内部に記憶されることがないので、指紋情報に関して高いセキュリティを確保することができる。
【００８０】
なお、上述の実施の形態は一例であり、実施の形態は、上述の形態に限ることなく、本発明の思想の範囲を逸脱しない範囲で適宜変更することができる。たとえば、上述の実施例では、生体情報として指紋情報を採用したが、生体情報は指紋情報に限らず、声紋情報や虹彩情報であってもよい。
【００８１】
また、上述の実施例では、ポータブル記憶装置２のＲＡＭ２１３に記憶されている設定情報をインターネットファクシミリ装置１に送信する際に、外部から取得した第３指紋情報とＲＡＭ２１３に記憶されている指紋情報との判定（認証）の結果を示す判定結果情報をインターネットファクシミリ装置１に送信し、この判定結果情報に応じてインターネットファクシミリ装置１から送信される送信指示に応じて、設定情報をインターネットファクシミリ装置１に送信するようにした。しかし、これに替えて、外部から取得した第３指紋情報とＲＡＭ２１３に記憶されている指紋情報との判定（認証）の結果が、両者が同一のユーザを示す場合に、この判定結果をインターネットファクシミリ装置１に送信せず、すぐに、設定情報をインターネットファクシミリ装置１に送信するようにしてもよい。この場合、インターネットファクシミリ装置１は、設定情報がポータブル記憶装置２から送信されたことにより、ユーザの指紋が認証されたと判断することができる。
【００８２】
さらに、上述の実施例では、インターネットファクシミリ装置１を設定する設定情報を指紋情報と対応付けてポータブル記憶装置２に記憶させる際に、第１の指紋情報と第２の指紋情報とを取得し、両者が同一のユーザを示す場合に、第１の指紋情報又は第２の指紋情報と設定情報とを対応付けてポータブル記憶装置２に記憶することとしたが、第２の指紋情報の取得及び、第１の指紋情報と第２の指紋情報とが同一のユーザを示すか否かの判定を行わず、無条件に、第１の指紋情報と設定情報とを対応付けてポータブル記憶装置２に記憶するようにしてもよい。
【００８３】
また、上述の実施例では、インターネットファクシミリ装置１からポータブル記憶装置２が取り外されたことが検出されたときに、ユーザによって設定情報を使用して変更されたインターネットファクシミリ装置１の設定を元に復帰することとしたが、これに限ることなく、ユーザによる設定の復帰を指示する操作部１１９への操作に応じて元の設定を復帰するようにしてもよい。
【００８４】
さらに、上述の実施例では、ユーザによる設定の変更の前に、現在の設定を示す設定情報を退避しておき、後に、退避しておいた設定情報を使用して変更前の設定を復帰するようにしたが、現在の設定を示す設定情報を退避するのではなく、デフォルトの設定を示す設定情報をＲＯＭ１１２等に記憶しておき、このデフォルトの設定情報を使用して常にデフォルトの設定に戻すようにしてもよい。
【産業上の利用可能性】
【００８５】
本発明は、例えば、生体情報を使用した認証処理を行い、認証された生体情報に対応する設定情報に基づいて装置の設定を行う装置に適用可能である。
【図面の簡単な説明】
【００８６】
【図１】本発明に係る電子機器装置の一例としてのインターネットファクシミリ装置の構成例を示すブロック図である。
【図２】本発明に係る可搬型記憶装置の一例としてのポータブル記憶装置の構成例を示すブロック図である。
【図３】指紋情報と設定情報とを対応付けてポータブル記憶装置に記憶する際に、インターネットファクシミリ装置及びポータブル記憶装置において実行される処理の一例を示すフローチャートである。
【図４】図３に示すフローチャートに続くフローチャートである。
【図５】ポータブル記憶装置に記憶された設定情報を使用してインターネットファクシミリ装置の設定を変更する際に、インターネットファクシミリ装置及びポータブル記憶装置において実行される処理の一例を示すフローチャートである。
【図６】図５に示すフローチャートに続くフローチャートである。
【符号の説明】
【００８７】
１      インターネットファクシミリ装置（電子機器装置）
１１１  制御部
１１３  ＲＡＭ
１１９  操作部
１２０  報知部
２      ポータブル記憶装置（可搬型記憶装置）
２１１  制御部
２１３  ＲＡＭ
２１４  指紋読取部
【図１】
2007226625.tif 000003
【図２】
2007226625.tif 000004
【図３】
2007226625.tif 000005
【図４】
2007226625.tif 000006
【図５】
2007226625.tif 000007
【図６】
2007226625.tif 000008